(57)【特許請求の範囲】
【請求項１】
下層階の外壁に突設される出窓が上層階の外壁に突設される構造体の底部に吊持される出窓の取付構造であって、
前記底部は、上層階の外壁に形成された開口部より前記上層階の床部の一部を前記外壁からはね出させて形成され、
埋木を介して下層階の出窓形成用の開口部の上部を形成するまぐさに接着剤と斜め打ちされた釘により緊結されること、を特徴とする出窓の取付構造。
【請求項２】
請求項１において、
前記出窓は、前記底部に一体化させて形成されること、を特徴とする出窓の取付構造。
【請求項３】
請求項１又は請求項２において、
前記底部は、床パネルを用いて形成されること、を特徴とする出窓の取付構造。
【請求項４】
請求項１から請求項３までのいずれかにおいて、
前記構造体は、バルコニーであること、を特徴とする出窓の取付構造。
【請求項５】
請求項１から請求項３までのいずれかにおいて、
前記構造体は、他の出窓であること、を特徴とする出窓の取付構造。
【発明の詳細な説明】
【０００１】
【発明の属する技術分野】
本発明は、出窓の取付構造に関し、特に、出窓を建物躯体に確実に取り付けることができ、あるいはこれに加えて、上層階の外壁に突設される構造体と下層階の出窓とが上下で隣接する場合における施工作業の容易化を可能とする出窓の取付構造に関する。
【０００２】
【背景技術】
出窓は、一般に、建物の外壁に間隔をおいて突設される出窓床部と出窓屋根部とを出窓側壁部で連結してなる枠組みに、ガラス戸等を取り付けて形成される。そして、従来より、出窓全体の荷重は、出窓床部によって支持されていた。
【０００３】
【発明が解決しようとする課題】
しかし、出窓が大型化する傾向にある今日、外壁に突設される出窓床部のみによって出窓全体の荷重を支持することは、困難になりつつある。そのため、大型の出窓を建物の躯体に確実に取り付けるための取付構造の開発が要請された。
【０００４】
また、出窓の上方にバルコニー等の構造体が突設される場合には、出窓屋根部と構造体の下部とが近接するため、両者の施工作業が行いにくいという問題もあった。
【０００５】
本発明は、上記課題に鑑みてなされたものであり、その目的は、出窓を建物躯体に確実に取り付けることができ、あるいはこれに加えて、上層階の外壁に突設される構造体と下層階の出窓とが上下で隣接する場合における施工作業の容易化を可能とする出窓の取付構造を提供することにある。
【０００６】
【課題を解決するための手段】
上記課題を解決するため、本発明は、下層階の外壁に突設される出窓が上層階の外壁に突設される構造体の底部に吊持される出窓の取付構造であって、
前記底部は、上層階の外壁に形成された開口部より前記上層階の床部の一部を前記外壁からはね出させて形成され、
埋木を介して下層階の出窓形成用の開口部の上部を形成するまぐさに接着剤と斜め打ちされた釘により緊結されること、を特徴とする。
【０００７】
本発明によれば、上層階の床部の一部をはね出させて形成される構造体の底部に出窓が吊持されることから、出窓を建物躯体に確実に取り付けることが可能となる。つまり、上層階の外壁に突設される構造体によって出窓が上方から支持されることにより、出窓と外壁との接続部分にかかる荷重負担が、出窓の重量に比較して少なくなる。そのため、外壁と出窓との接続部分が破損しにくく、出窓が外壁に確実に突設される。また、出窓を吊持する構造体の底部が、上層階の床部の一部を外壁からはね出させて形成されることから、別部材で底部を形成した場合に比較して高い耐荷強度が得られ、出窓を確実に支持することが可能となる。
【０００８】
なお、構造体の底部で出窓を吊持するための具体的構造は、確実に吊持可能な範囲において、特に限定されない。
【０００９】
例えば、構造体の底部と出窓の上部との間に間隔がある場合は、チェーンその他の連結部材を用いて両者を連結しても良い。また、両者の間に間隔がほとんどない場合は、出窓を構造体の底部に一体化させて形成させてもよい。この場合には、出窓と構造体の底部とが一体化されることから、出窓を建物躯体に確実に取り付けることができるとともに、上下で隣接する構造体及び出窓双方の施工作業を簡略化することが可能となる。特に、出窓形成時に、構造体の底部を出窓の上部として利用する場合は、出窓形成用の部材の節約をも図ることが可能となる。
【００１０】
ここで、構造体の底部を形成する床部の具体的構造は、本発明において期待される機能を発揮し得る限り、特に限定されない。つまり、例えば、床梁と床板とを組み合わせて床部を形成する他、床パネルを用いて床部を形成することもできる。そして、このように床パネルを用いる場合には、床部を簡単な作業で迅速に形成することができ、出窓の迅速な取付が可能となる。
【００１１】
なお、ここで床パネルとは、少なくとも矩形の枠体の一方の面に面材を張り付けて形成され、専ら床部の形成に使用される建築用パネルをいう。
【００１２】
また、本発明において、構造体の種類は、出窓の上方において上層階の外壁から突設され、床部の一部を外壁からはね出させて形成された底部を備え、この底部で出窓を吊持可能である限り、特に限定されない。従って、例えば、バルコニーや他の出窓等、種々の形態のものを本発明における構造体として利用することができる。
【００１３】
【発明の実施の形態】
次に、本発明の実施の形態を図面を参照して詳細に説明する。
【００１４】
図１は、本発明の第一の実施形態を示す縦断面図であり、図２は、この第一の実施形態を示す斜視図である。なお、本実施形態は、パネル工法により建設される建物において本発明を適用した場合の例を示すものである。
【００１５】
図１において、２階の外壁１２に突設される構造体としてのバルコニー２０と、１階の外壁１０に突設される出窓３０とが上下で隣接し、バルコニー２０の底部２２に出窓３０が一体化させて形成されている。このため、出窓３０が底部２２によって吊持されている。
【００１６】
バルコニー２０は、外壁１２に形成された開口部１０２の下部から突出する底部２２と、この底部２２の上方を囲む手摺壁２４と、を含んで形成される。
【００１７】
底部２２は、バルコニー２０に隣接する室内１００の床部２３の一部を外壁１０，１２から屋外にはね出させて形成される。より詳しくは、床部２３は、矩形の枠体の一方の面に合板等の面材を張り付けてなる床パネルを複数枚接合して形成され、開口部１０２付近の床パネル２８が、一方の端部２８ａを外壁１０，１２よりも屋外に突出させて配設される。そして、床パネル２８は、床部２３を形成する他の床パネルに緊結される他、埋木２７を介して、１階の出窓３０形成用の開口部１０４の上部を形成するまぐさ２９に緊結される。これにより、床パネル２８が所定位置に確実に固定される。また、このような構成とすることにより、底部２２と床部２３とが連続一体的に形成され、底部２２の耐荷強度が高められる。
【００１８】
なお、床パネル２８とまぐさ２９との緊結手段は、接着剤と斜め打ちされた釘５０とによって、まぐさ２９との緊結を行っている。
【００１９】
手摺壁２４は、このように固定された床パネル２８の屋外側の端部２８ａの端面に接合補助材２６を取り付け、この接合補助材２６と端部２８ａの双方の上面に複数枚の壁パネルを載設し、互いに接合して形成される。この壁パネルは、矩形の枠体の両面に合板からなる面材を張り付けて形成されている。
【００２０】
一方、出窓３０は、同図及び図２に示すように、バルコニー２０の底部２０の下面に固定された吊り材３６及び小壁３２と、吊り材３６の下端部に取り付けられた腰壁３４と、この腰壁３４と外壁１０との間に取り付けられた底板部３８と、を含んで形成される。
【００２１】
ここで、吊り材３６は、角材状をなし、長手方向を鉛直方向に対して平行にして配置され、上端面を接合補助材２６及び端部２８ａの双方の下面に当接させて、底部２２に緊結される。この緊結のための手段は、確実に緊結可能な範囲において、特に限定されない。また、吊り材３６は、所定間隔をおいて複数本取り付けられる。この間隔は、底部２２の大きさや、吊り材３６間に取り付けられる予定の図示しないガラス戸等の大きさを考慮して決定される。
【００２２】
小壁３２は、小型の壁パネルを用いて形成される。この小壁３２を形成する壁パネルは、吊り材３６同士の間及び吊り材３６と開口部１０４の側端部との間に配設され、吊り材３６と同様に、上端面を接合補助材２６及び端部２８ａの双方の下面に当接させて底部２２に緊結される。また、小壁３２を形成する各壁パネルの側端部は、隣接する吊り材３６又は開口部１０４の側端部を画する外壁１０に緊結される。これらの緊結のための手段は、確実に緊結可能な範囲において、特に限定されない。なお、本実施形態では、小壁３２と底部２２との緊結手段として、ボルト４０を使用している。また、このボルト４０によって、小壁３２と、底部２２と、手摺壁２４とが、互いに緊結されている。
【００２３】
腰壁３４は、小壁３２形成用の壁パネルよりも更に上下方向の長さが短い壁パネルを、吊り材３６の下端部に固定して形成される。これにより、小壁３２と腰壁３４との間に、図示しないガラス戸等を取り付けるための開口１０６が形成される。なお、この腰壁３４も、吊り材３６又は外壁１０に緊結される。
【００２４】
底板部３８は、矩形の枠体の一方の面に合板等の面材を張り付けてなるパネルを、面材を上に向け、互いに平行な一対の端部を角材状の接合補助材３９を介して腰壁３４及び外壁１０に固定して形成される。
【００２５】
このような構成とすることにより、吊り材３６及び小壁３２を介して、出窓３０全体が底部２２に確実に吊持される。このため、出窓３０と外壁１０との接続部分にかかる荷重が少なくなり、出窓３０全体が外壁１０における所定位置に確実に固定される。また、底部２２が床部２３一体化していることから、別部材で底部２２を形成する場合よりも耐荷強度が高められる。従って、かなり大型の出窓であっても、建物躯体に確実に取り付けることが可能となる。
【００２６】
また、バルコニー２０の底部２２が出窓３０の屋根部を兼ねることから、上下で隣接するバルコニー２０と出窓３０の施工作業が容易となる。つまり、出窓３０の屋根部を別途形成する必要がなく、作業が簡略化される。更に、出窓３０の屋根部を別途形成するための材料が省略されるため、コスト削減が可能となる。
【００２７】
図３は、本発明の第二の実施形態を示す縦断面図である。なお、本実施形態も、パネル工法により構築される建物において本発明を適用した場合の例を示すものである。
【００２８】
同図において、１階の外壁６０に突設される出窓９０は、その上方において２階の外壁６２に突設される構造体である他の出窓７０の底部７２に一体化させて形成される。このため、他の出窓７０によって、出窓９０が吊持されている。
【００２９】
この第二の実施形態は、２階に突設される構造体が出窓７０の形態をなす点を除き、上述した第一の実施形態と同様の構成を有する。つまり、出窓７０の底部７２及び床部８４並びに、１階の出窓９０は、第一の実施形態における底部２２、床部２３、出窓３０と同様な構成を有し、同様な構造によって固定される。従って、これらについての詳細な説明は省略する。
【００３０】
一方、２階の出窓７０は、第一の実施形態におけるバルコニー２０の手摺壁２４と同様な構成により底部７２等に緊結される腰壁７４の上方に、柱７０を介して小壁７８と、底部７２の上方を覆う屋根部８０と、を取り付けて形成される。そして、柱７０は、角材状をなし、腰壁７４と共に底部７２等の上面に載置されて固定される。更に、腰壁７４及び小壁７８は、矩形の枠体の両面に面材を張り付けてなる壁パネルで形成され、特に腰壁７４を形成する壁パネルは、ボルト８２によって底部７２等に緊結される。また、屋根部８０は、矩形の枠体の一方の面に面材を張り付けてなる屋根パネルを用いて形成される。
【００３１】
このように、下層階の出窓を吊持するために上層階の外壁に突設される構造体は、バルコニーや出窓等、種々の形態をとることが可能である。
【００３２】
なお、本発明の実施の形態は、上述の例に限られず、発明の範囲内において、種々の変形実施が可能である。例えば、出窓とバルコニー等の底部とを別個独立に形成し、両者を別部材で連結することにより、出窓をバルコニーの底部に吊持させることもできる。また、柱と梁を用いて形成される建物に本発明を適用することも可能である。この場合には、上層階の床部を形成する床梁の端部を外壁から突出させて設置し、その上に床板を取り付ける等して、バルコニー等の底部を形成する。さらに、上層階の床部の一部を外壁からはね出させて形成される底部を有する限り、上層階の外壁に突設される構造体の形態や、その具体的構成等は、必要に応じて種々変更することができる。
【００３３】
【発明の効果】
以上説明したように、本発明によれば、上層階の床部の一部を外壁からはね出させて形成される底部を備えて上層階の外壁に突設される構造体の底部に、下層階の出窓が吊持されることから、下層階の出窓が建物躯体に確実に取り付けられる。
【００３４】
また、この出窓が構造体の底部と一体化させて形成される場合には、出窓を建物躯体に一層確実に取り付けることが可能になるとともに、上下で隣接する構造体及び出窓双方の施工作業を簡略化することが可能となる。
【００３５】
更に、上層階の床部が床パネルを用いて形成される場合には、床部を簡単な作業で迅速に形成することができ、出窓の迅速な取付が可能となる。
【図面の簡単な説明】
【図１】本発明の第一の実施形態を示す縦断面図である。
【図２】本発明の第一の実施形態を示す斜視図である。
【図３】本発明の第二の実施形態を示す縦断面図である。
【符号の説明】
１０，６０  外壁（下層階）
１２，６２  外壁（上層階）
２０  バルコニー（構造体）
２２，７２  底部
２３，８４  床部
２８  床パネル
３０，９０  出窓
７０  他の出窓（構造体）
【図１】
0003981439.tif 000002
【図２】
0003981439.tif 000003
【図３】
0003981439.tif 000004